【手続補正書】
【提出日】平成19年3月5日(2007.3.5)
【手続補正１】
【補正対象書類名】特許請求の範囲
【補正対象項目名】全文
【補正方法】変更
【補正の内容】
【特許請求の範囲】
【請求項１】
サーバコンピュータとクライアントコンピュータとを有し、前記クライアントコンピュータ間でのメッセージ交換を可能にするコミュニケーション機能が搭載され、複数のクライアントユーザ間で行われるコミュニケーションをその内容によって情報共有単位で管理する情報管理システムにおいて実施され、前記情報共有単位に関する情報を提示する情報提示プログラムであって、当該サーバコンピュータを、
予め設定された規則に従い前記情報共有単位によりグループ分けされたグループ毎に、当該グループに属する各情報共有単位に関する情報に含まれる項目データに基づき予め設定された計算方法によって当該グループの状態を示す特性値を算出するグループ特性値算出処理手段と、
前記グループ特性値算出処理手段により得られたグループの状態を示す特性値に基づいてグループの評価情報を生成する情報生成処理手段と、
して機能させることを特徴とする情報提示プログラム。
【請求項２】
請求項１記載の情報提示プログラムにおいて、
前記グループ特性値算出処理手段は、前記情報共有単位に関する情報のうち当該情報共有単位の納期に関する項目データ、当該情報共有単位についてコミュニケーションを行うクライアントユーザに関する項目データ、又は当該情報共有単位のアクセス状況に関する項目データうち少なくとも１つの項目データに基づき当該グループの状態を示す特性値を算出することを特徴とする情報提示プログラム。
【請求項３】
請求項１記載の情報提示プログラムにおいて、
前記グループ特性値算出処理手段は、各グループの状態を示す特性値を算出する際に用いた項目データの各値に対して、設定された重み係数を積算する計算方法によって当該グループの状態を示す特性値を算出することを特徴とする情報提示プログラム。
【請求項４】
請求項１記載の情報提示プログラムにおいて、
当該サーバコンピュータを、ユーザにより指定された前記情報共有単位によってグループを新たに作成するカスタマイズ機能を有するグループ管理手段して機能させることを特徴とする情報提示プログラム。
【請求項５】
請求項１記載の情報提示プログラムにおいて、
前記グループ特性値算出処理手段は、グループが階層化されている場合において、階層毎に設定された重み係数を積算することによって各グループの状態を示す特性値を算出することを特徴とする情報提示プログラム。
【請求項６】
請求項１記載の情報提示プログラムにおいて、
前記情報生成処理手段は、各グループの状態を示す特性値と予め設定され基準値との大小関係に基づいて各グループの評価情報を生成することを特徴とする情報提示プログラム。
【請求項７】
請求項１記載の情提示プログラムにおいて、
前記情報生成処理手段は、前記クライアントコンピュータが具備する表示手段に表示された評価情報の中からいずれかのグループがクライアントユーザによって選択されたとき、その選択されたグループに属する前記情報共有単位の状態を示す特性値に基づいて当該情報共有単位の評価情報を生成することを特徴とする情報提示プログラム。
【請求項８】
サーバコンピュータとクライアントコンピュータとを有し、前記クライアントコンピュータ間でのメッセージ交換を可能にするコミュニケーション機能が搭載され、複数のクライアントユーザ間で行われるコミュニケーションをその内容によって情報共有単位で管理する統合情報管理システムにおいて、前記情報共有単位に関する情報を提示するタスク情報提示装置であって、
予め設定された規則に従い前記情報共有単位によりグループ分けされたグループ毎に、当該グループに属する各情報共有単位に関する情報に含まれる項目データに基づき予め設定された計算方法によって当該グループの状態を示す特性値を算出するグループ特性値算出処理手段と、
前記グループ特性値算出処理手段により得られたグループの状態を示す特性値に基づいてグループの評価情報を生成する情報生成処理手段と、
を有することを特徴とする情報提示装置。
【手続補正２】
【補正対象書類名】明細書
【補正対象項目名】発明の名称
【補正方法】変更
【補正の内容】
【発明の名称】情報提示プログラム及び情報提示装置
【手続補正３】
【補正対象書類名】明細書
【補正対象項目名】０００９
【補正方法】変更
【補正の内容】
【０００９】
本発明は、以上のような課題を解決するためになされたものであり、その目的は、タスクの状態の全体像に関する有用な情報を提示することのできる情報提示プログラム及び情報提示装置を提供することにある。
【手続補正４】
【補正対象書類名】明細書
【補正対象項目名】００１０
【補正方法】変更
【補正の内容】
【００１０】
以上のような目的を達成するために、本発明に係る情報提示プログラムは、サーバコンピュータとクライアントコンピュータとを有し、前記クライアントコンピュータ間でのメッセージ交換を可能にするコミュニケーション機能が搭載され、複数のクライアントユーザ間で行われるコミュニケーションをその内容によって情報共有単位で管理する情報管理システムにおいて実施され、前記情報共有単位に関する情報を提示する情報提示プログラムであって、当該サーバコンピュータを、予め設定された規則に従い前記情報共有単位によりグループ分けされたグループ毎に、当該グループに属する各情報共有単位に関する情報に含まれる項目データに基づき予め設定された計算方法によって当該グループの状態を示す特性値を算出するグループ特性値算出処理手段と、前記グループ特性値算出処理手段により得られたグループの状態を示す特性値に基づいてグループの評価情報を生成する情報生成処理手段として機能させることを特徴とする。
【手続補正５】
【補正対象書類名】明細書
【補正対象項目名】００１１
【補正方法】変更
【補正の内容】
【００１１】
また、前記グループ特性値算出処理手段は、前記情報共有単位に関する情報のうち当該情報共有単位の納期に関する項目データ、当該情報共有単位についてコミュニケーションを行うクライアントユーザに関する項目データ、又は当該情報共有単位のアクセス状況に関する項目データうち少なくとも１つの項目データに基づき当該グループの状態を示す特性値を算出することを特徴とする。
【手続補正６】
【補正対象書類名】明細書
【補正対象項目名】００１２
【補正方法】変更
【補正の内容】
【００１２】
また、前記グループ特性値算出処理手段は、各グループの状態を示す特性値を算出する際に用いた項目データの各値に対して、設定された重み係数を積算する計算方法によって当該グループの状態を示す特性値を算出することを特徴とする。
【手続補正７】
【補正対象書類名】明細書
【補正対象項目名】００１３
【補正方法】変更
【補正の内容】
【００１３】
また、当該サーバコンピュータを、ユーザにより指定された前記情報共有単位によってグループを新たに作成するカスタマイズ機能を有するグループ管理手段して機能させることを特徴とする。
【手続補正８】
【補正対象書類名】明細書
【補正対象項目名】００１４
【補正方法】変更
【補正の内容】
【００１４】
また、前記グループ特性値算出処理手段は、グループが階層化されている場合において、階層毎に設定された重み係数を積算することによって各グループの状態を示す特性値を算出することを特徴とする。
【手続補正９】
【補正対象書類名】明細書
【補正対象項目名】００１５
【補正方法】変更
【補正の内容】
【００１５】
また、前記情報生成処理手段は、各グループの状態を示す特性値と予め設定され基準値との大小関係に基づいて各グループの評価情報を生成することを特徴とする。
【手続補正１０】
【補正対象書類名】明細書
【補正対象項目名】００１６
【補正方法】変更
【補正の内容】
【００１６】
また、前記情報生成処理手段は、前記クライアントコンピュータが具備する表示手段に表示された評価情報の中からいずれかのグループがクライアントユーザによって選択されたとき、その選択されたグループに属する前記情報共有単位の状態を示す特性値に基づいて当該情報共有単位の評価情報を生成することを特徴とする。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】
本発明に係る情報提示装置は、サーバコンピュータとクライアントコンピュータとを有し、前記クライアントコンピュータ間でのメッセージ交換を可能にするコミュニケーション機能が搭載され、複数のクライアントユーザ間で行われるコミュニケーションをその内容によって情報共有単位で管理する統合情報管理システムにおいて、前記情報共有単位に関する情報を提示するタスク情報提示装置であって、予め設定された規則に従い前記情報共有単位によりグループ分けされたグループ毎に、当該グループに属する各情報共有単位に関する情報に含まれる項目データに基づき予め設定された計算方法によって当該グループの状態を示す特性値を算出するグループ特性値算出処理手段と、前記グループ特性値算出処理手段により得られたグループの状態を示す特性値に基づいてグループの評価情報を生成する情報生成処理手段とを有することを特徴とする。